(57)【要約】【課題】  取り出し、刃の出し入れ等の手間を省き、よりスピーディに効率良く切断作業を行なえるカッターを提供する。【解決手段】  指に嵌めたまま使用する形態を採り、１本または複数の指の第一関節と第二関節の間で留まる様に指を挿入し得る円筒形の開口部を持つ本体に、結束を引っ掛け掬い上げるための舌状突起を、前記本体と狭角を成して接合させ、この本体と板状突起との間に刃を固定させ、カッターを嵌めた指を内側に曲げて結束などを舌状突起で引っ掛けて手前に引くことで切断を行なうカッターを提供する。【選択図】  図１
2005111198.tif 000002
【特許請求の範囲】
【請求項１】
１本または複数の指の第一関節と第二関節の間で留まる様に指を挿入し得る形状の開口部を持つ本体と、
前記本体と狭角を成して固着された、結束や紙などを引っ掛け掬い上げるための板状突起と、
前記本体と前記板状突起との間に嵌設された刃と、を具備することを特徴とする、指にはめて使用するカッター。
【請求項２】
１本または複数の指の第一関節と第二関節の間で留まる様に指を挿入し得る形状の開口部を持つ本体と、
前記本体と狭角を成して固着された、結束や紙などを引っ掛け掬い上げるための板状突起と、
前記本体と前記板状突起との間に嵌設された刃と、を具備し、
前記本体の開口部に前記板状突起が手の甲側に来る様に、かつ前記板状突起の先端が指先方向を向く様に指に挿入し、
カッターを使用する際は、前記本体に挿入した指を手の平側に曲げ、下側に来た前記板状突起で結束を引っ掛け、手前に掬い上げて結束を切断することを特徴とする、
指にはめて使用するカッター。
【発明の詳細な説明】
【技術分野】
【０００１】  この発明は、指にはめて使用するカッターナイフに関するものである。
【背景技術】
【０００２】  従来にはナイフやカッターに関して、使用時の利便性を考慮して簡単に取り出しまた収納することを目指して、ナイフの柄がそのままベルトに引っ掛けるフックを兼ねる、という方法があった。（例えば特許文献１参照）
また、刃の出し入れの利便性を考えて、片手にとって把持するのみで簡単に刃を露出させることができる構造を持つものがあった。（例えば特許文献２参照）【０００３】
【特許文献１】          特開平１０−７６０７８号公報
【特許文献２】          特開平７−２８９７５０号公報
【発明の開示】
【発明が解決しようとする課題】
【０００４】  これまでのカッターやナイフにあっては、利便性や安全性を確保する上で様々な工夫がなされてきた。前記の文献に見るように、刃の出し入れの行程を簡略化する、カッターナイフをいちいちポケットから出したり収納したりする手間を省くためにナイフをベルトに引っ掛けられる様にする等の方法が見られたが、切断作業時のみカッターやナイフを取り出して手に持ち、刃を出して切断作業をし、また刃を仕舞い、カッターやナイフを仕舞うという一連の作業を繰り返すことに変わりはなかった。ところが切断の作業が頻繁に続くときなどこれらの行程が煩雑で時間的なロスが大きく効率的とは言えなかった。本発明が解決しようとする課題は、いかにすればカッターの取り出し、刃の出し入れ等の手間を省き、よりスピーディに効率良く切断作業を行なえるか、という点にある。
【課題を解決するための手段】
【０００５】  上記の課題を解決するものとして本発明ではカッターを指に嵌めたまま使用する形態を採り、１本または複数の指の第一関節と第二関節の間で留まる様に指を挿入し得る円筒形の開口部を持つ本体に、結束を引っ掛け掬い上げるための舌状突起を、前記本体と狭角を成して接合させ、この本体と板状突起との間に刃を固定させ、カッターを嵌めた指を内側に曲げて結束などを舌状突起で引っ掛けて手前に引くことで切断を行なう装置を提供するものである。【０００６】  カッター本体の形状は、１本または複数の指を嵌めることができる開口を持つ円筒形もしくは円筒形が２つ並列された形状とし、開口の大きさは、指の第一関節と第二関節の間で留まる様に指を挿入し得て、嵌める指が適度の抵抗をもって本体に嵌まる程度の大きさとし、かつ本体の開口方向に平行な奥行きは、指の第一関節と第二関節間の長さより若干短い長さとする。また本体の大きさや形状は、指を内側に曲げたときに指の関節に支障が出ないようなものでなくてはならない。【０００７】  また、本体の開口部縁端部付近から本体に結合される舌状突起は、本体の開口方向軸と狭角を成して突出し、かつ結束を引っ掛けて掬い上げられる様に舌状の形状を成すものとする。【０００８】  本体と舌状突起との間に刃を着設するが、刃は前記舌状突起から斜めに立ち上がり前記本体に嵌装される様に着設されるものとする。この時、前記舌状突起の、本体に面した面と刃先とが成す角度は鈍角とし、刃先と、本体の舌状突起に面した面とが成す角度は鋭角となるようにする。これにより、フックの舌先で掬い上げられた結束や紙などが舌状突起から刃に滑りながら移動し、最後に刃先と本体との接合部分で引っ掛かり、なお引っ張り続けられることで結束や紙などが切断されることになる。
【発明の効果】
【０００９】  本発明は、以上説明したように構成されているので、以下に記載されるような効果を奏する。
刃が絶えず使用状態を保ったまま固定されており、かつ指にはめて使用できるので、指にはめておきさえすれば、切断作業に移る際にわざわざポケットやベルトなどから取り出してまた刃を出す、切断作業が終わった際も刃を仕舞いポケットやベルトなどに戻す、といった行程が不要なため時間や労力の無駄が無い。また切断の作業中でない時も指にはめたまま手指を自由に使えるため他の作業もできるといった利点を持つ。また結束等を舌状突起に引っ掛けて掬い上げる方式を採るため刃は梱包等に接触することがなく、従来のカッターによる作業のように梱包等を刃で誤って切ったりすることもない。それと同時に、切断作業中に刃が手指に触れる可能性が無いため、安全に作業することができる。またサイズが小さく比較的軽量で携帯性も良好である。更に構造がシンプルで部品点数も少なく製造コストを低く抑えることができる。
【発明を実施するための最良の形態】
【００１０】  発明の実施の形態を実施例にもとづき図面を参照して説明する。
図１、図２は指１本を挿入する本体１を持つ実施例の斜視図である。本体１に設けられた開口２は円筒形または略円筒形であり、その直径は指を挿入したときに適度の抵抗をもって本体に挿入できる程度の大きさとし、その奥行きは挿入する指の第一関節と第二関節間の長さより若干短い長さとする。なお挿入する指は、力の入り具合から考えても人さし指または中指が適当である。【００１１】  また本体１の大きさや形状は、指を内側に曲げたときに指の関節の動きに支障が出ないようなものでなくてはならない。そのために本体の開口を持つ面１２と１３は、本体の開口２の方向と直交する面に対してある程度の角度がつけられている。また本体１と、本体の開口部縁端部３４付近から本体に結合される、結束を引っ掛けて掬い上げる舌状突起３とは一体成形であることが望ましい。【００１２】  図３は指１本を挿入する本体１を持つ実施例の側面図であるが、本体の一面１１と舌状突起の一面３１が成す角度は２０度から４０度程度である。刃４は本体の舌状突起に面した側１１と、突起の舌状本体に面した側３１との両方に嵌設されている必要がある。なお舌状突起の一面３１と刃先４２とが成す角度は鈍角とし、刃先４２と本体の一面１１とが成す角度は鋭角となるようにする。【００１３】  舌状突起の縁端３２付近で掬い上げられた紐などの結束は、そのまま刃先４２上を移動しながら破断を始め、本体１と刃４の交わる位置４３でより強い抵抗を受けて完全に破断する。【００１４】  図４は指１本を挿入する本体１を持つ実施例の平面図である。本体の二か所の開口２１と２２の直径は同じでも良いが、前記の様に指を挿入したときに適度の抵抗をもって本体に挿入できる様にするためには、指の形状から考えて多少の２２の方が２１より大きい直径を持つことが望ましい。
【実施例１】
【００１５】  図６は指２本を挿入する本体１００を持つ実施例の斜視図である。本体が指２本を挿入するため開口を二つ持つこと以外は、図１、図２に見る指１本を挿入する本体を持つ実施例と基本的な構成は変わらない。指１本のタイプよりこちらの方が舌状突起３００も大きくでき、また指２本で引くことができるため、より太い、または強靱な結束に使用することができる。【００１６】  図７は指２本を挿入するタイプを実際に指に嵌めて結束を引く時の使用図である。このように指を内側に曲げて引くので力が入りやすく、また指先が結束に引っ掛かることもない。また舌状突起３００が梱包に接し、刃４００は梱包に接することは無いので梱包を傷つける心配もない。
【図面の簡単な説明】
【図１】  図１は指１本を挿入する本体を持つ実施例の斜視図である。
【図２】  図２は指１本を挿入する本体を持つ実施例の別方向からの斜視図である。
【図３】  図３は指１本を挿入する本体１を持つ実施例の側面図である。
【図４】  図４は指１本を挿入する本体１を持つ実施例の平面図である。
【図５】  図５は指１本を挿入する本体１を持つ実施例の正面図である。
【図６】  図６は指２本を挿入する本体を持つ実施例の斜視図である。
【図７】  図７は指２本を挿入する本体を持つ実施例を実際に指に嵌めて結束を引く時の使用図である。
【図８】  食器の食べ物が減っていく過程を示す平面段階図の変化図である。
【符号の説明】
１      指１本を挿入する実施例における本体
１１    指１本を挿入する実施例における板状突起と面する本体の１面
１２    指１本を挿入する実施例における本体の、開口を持つ第１の面
１３    指１本を挿入する実施例における本体の、開口を持つ第２の面
２      指１本を挿入する実施例の本体の開口部
２１    指１本を挿入する実施例の本体の開口の第１の縁端部
２２    指１本を挿入する実施例の本体の開口の第２の縁端部
３      指１本を挿入する実施例における舌状突起
３１    指１本を挿入する実施例における舌状突起の、本体に面した面
３２    指１本を挿入する実施例における舌状突起の、最前端部
３３    指１本を挿入する実施例における舌状突起の、刃に接する最前端部
３４    指１本を挿入する実施例における舌状突起の、刃に接する最後端部
４      指１本を挿入する実施例における刃
４１    指１本を挿入する実施例における刃の最前端部
４２    指１本を挿入する実施例における刃のブレード部
４３    指１本を挿入する実施例における刃の最後端部
１００  指２本を挿入する実施例における本体
１０１  指２本を挿入する実施例における板状突起と面する本体の１面
２００  指２本を挿入する実施例の本体の第１の開口部
２０１  指２本を挿入する実施例の本体の第２の開口部
３００  指２本を挿入する実施例における舌状突起
３０１  指２本を挿入する実施例における舌状突起の、本体に面した面
３０２  指２本を挿入する実施例における舌状突起の、最前端部
３０３  指２本を挿入する実施例における舌状突起の、刃に接する最前端部
３０４  指２本を挿入する実施例における舌状突起の、刃に接する最後端部
４００  指２本を挿入する実施例における刃
４０１  指２本を挿入する実施例における刃の最前端部
４０２  指２本を挿入する実施例における刃のブレード部
４０３  指２本を挿入する実施例における刃の最後端部
【図１】
2005111198.tif 000003
【図２】
2005111198.tif 000004
【図３】
2005111198.tif 000005
【図４】
2005111198.tif 000006
【図５】
2005111198.tif 000007
【図６】
2005111198.tif 000008
【図７】
2005111198.tif 000009
【手続補正書】
【提出日】平成15年12月29日(2003.12.29)
【手続補正１】
【補正対象書類名】明細書
【補正対象項目名】全文
【補正方法】変更
【補正の内容】
【発明の詳細な説明】
【技術分野】
【０００１】  この発明は、指にはめて使用するカッターナイフに関するものである。
【背景技術】
【０００２】  従来にはナイフやカッターに関して、使用時の利便性を考慮して簡単に取り出しまた収納することを目指して、ナイフの柄がそのままベルトに引っ掛けるフックを兼ねる、という方法があった。（例えば特許文献１参照）
また、刃の出し入れの利便性を考えて、片手にとって把持するのみで簡単に刃を露出させることができる構造を持つものがあった。（例えば特許文献２参照）【０００３】
【特許文献１】          特開平１０−７６０７８号公報
【特許文献２】          特開平７−２８９７５０号公報
【発明の開示】
【発明が解決しようとする課題】
【０００４】  これまでのカッターやナイフにあっては、利便性や安全性を確保する上で様々な工夫がなされてきた。前記の文献に見るように、刃の出し入れの行程を簡略化する、カッターナイフをいちいちポケットから出したり収納したりする手間を省くためにナイフをベルトに引っ掛けられる様にする等の方法が見られたが、切断作業時のみカッターやナイフを取り出して手に持ち、刃を出して切断作業をし、また刃を仕舞い、カッターやナイフを仕舞うという一連の作業を繰り返すことに変わりはなかった。ところが切断の作業が頻繁に続くときなどこれらの行程が煩雑で時間的なロスが大きく効率的とは言えなかった。本発明が解決しようとする課題は、いかにすればカッターの取り出し、刃の出し入れ等の手間を省き、よりスピーディに効率良く切断作業を行なえるか、という点にある。
【課題を解決するための手段】
【０００５】  上記の課題を解決するものとして本発明ではカッターを指に嵌めたまま使用する形態を採り、１本または複数の指の第一関節と第ニ関節の間で留まる様に指を挿入し得る円筒形の開口部を持つ本体に、結束を引っ掛け掬い上げるための舌状突起を、前記本体と狭角を成して接合させ、この本体と板状突起との間に刃を固定させ、カッターを嵌めた指を内側に曲げて結束などを舌状突起で引っ掛けて手前に引くことで切断を行なう装置を提供するものである。【０００６】  カッター本体の形状は、１本または複数の指を嵌めることができる開口を持つ円筒形もしくは円筒形が２つ並列された形状とし、開口の大きさは、指の第一関節と第ニ関節の間で留まる様に指を挿入し得て、嵌める指が適度の抵抗をもって本体に嵌まる程度の大きさとし、かつ本体の開口方向に平行な奥行きは、指の第一関節と第ニ関節間の長さより若干短い長さとする。また本体の大きさや形状は、指を内側に曲げたときに指の関節に支障が出ないようなものでなくてはならない。【０００７】  また、本体の開口部縁端部付近から本体に結合される舌状突起は、本体の開口方向軸と狭角を成して突出し、かつ結束を引っ掛けて掬い上げられる様に舌状の形状を成すものとする。【０００８】  本体と舌状突起との間に刃を着設するが、刃は前記舌状突起から斜めに立ち上がり前記本体に嵌装される様に着設されるものとする。この時、前記舌状突起の、本体に面した面と刃先とが成す角度は鈍角とし、刃先と、本体の舌状突起に面した面とが成す角度は鋭角となるようにする。これにより、フックの舌先で掬い上げられた結束や紙などが舌状突起から刃に滑りながら移動し、最後に刃先と本体との接合部分で引っ掛かり、なお引っ張り続けられることで結束や紙などが切断されることになる。
【発明の効果】
【０００９】  本発明は、以上説明したように構成されているので、以下に記載されるような効果を奏する。
刃が絶えず使用状態を保ったまま固定されており、かつ指にはめて使用できるので、指にはめておきさえすれば、切断作業に移る際にわざわざポケットやベルトなどから取り出してまた刃を出す、切断作業が終わった際も刃を仕舞いポケットやベルトなどに戻す、といった行程が不要なため時間や労力の無駄が無い。また切断の作業中でない時も指にはめたまま手指を自由に使えるため他の作業もできるといった利点を持つ。また結束等を舌状突起に引っ掛けて掬い上げる方式を採るため刃は梱包等に接触することがなく、従来のカッターによる作業のように梱包等を刃で誤って切ったりすることもない。それと同時に、切断作業中に刃が手指に触れる可能性が無いため、安全に作業することができる。またサイズが小さく比較的軽量で携帯性も良好である。更に構造がシンプルで部品点数も少なく製造コストを低く抑えることができる。
【発明を実施するための最良の形態】
【００１０】  発明の実施の形態を実施例にもとづき図面を参照して説明する。
図１、図２は指１本を挿入する本体１を持つ実施例の斜視図である。本体１に設けられた開口２は円筒形または略円筒形であり、その直径は指を挿入したときに適度の抵抗をもって本体に挿入できる程度の大きさとし、その奥行きは挿入する指の第一関節と第ニ関節間の長さより若干短い長さとする。なお挿入する指は、力の入り具合から考えても人さし指または中指が適当である。【００１１】  また本体１の大きさや形状は、指を内側に曲げたときに指の関節の動きに支障が出ないようなものでなくてはならない。そのために本体の開口を持つ面１２と１３は、本体の開口２の方向と直交する面に対してある程度の角度がつけられている。また本体１と、本体の開口部縁端部３４付近から本体に結合される、結束を引っ掛けて掬い上げる舌状突起３とは一体成形であることが望ましい。【００１２】  図３は指１本を挿入する本体１を持つ実施例の側面図であるが、本体の一面１１と舌状突起の一面３１が成す角度は２０度から４０度程度である。刃４は本体の舌状突起に面した側１１と、突起の舌状本体に面した側３１との両方に嵌設されている必要がある。なお舌状突起の一面３１と刃先４２とが成す角度は鈍角とし、刃先４２と本体の一面１１とが成す角度は鋭角となるようにする。【００１３】  舌状突起の縁端３２付近で掬い上げられた紐などの結束は、そのまま刃先４２上を移動しながら破断を始め、本体１と刃４の交わる位置４３でより強い抵抗を受けて完全に破断する。【００１４】  図４は指１本を挿入する本体１を持つ実施例の平面図である。本体の二か所の開口２１と２２の直径は同じでも良いが、前記の様に指を挿入したときに適度の抵抗をもって本体に挿入できる様にするためには、指の形状から考えて多少の２２の方が２１より大きい直径を持つことが望ましい。
【実施例１】
【００１５】  図６は指２本を挿入する本体１００を持つ実施例の斜視図である。本体が指２本を挿入するため開口を二つ持つこと以外は、図１、図２に見る指１本を挿入する本体を持つ実施例と基本的な構成は変わらない。指１本のタイプよりこちらの方が舌状突起３００も大きくでき、また指２本で引くことができるため、より太い、または強靱な結束に使用することができる。【００１６】  図７は指２本を挿入するタイプを実際に指に嵌めて結束を引く時の使用図である。このように指を内側に曲げて引くので力が入りやすく、また指先が結束に引っ掛かることもない。また舌状突起３００が梱包に接し、刃４００は梱包に接することは無いので梱包を傷つける心配もない。
【図面の簡単な説明】
【００１７】
【図１】  図１は指１本を挿入する本体を持つ実施例の斜視図である。
【図２】  図２は指１本を挿入する本体を持つ実施例の別方向からの斜視図である。
【図３】  図３は指１本を挿入する本体１を持つ実施例の側面図である。
【図４】  図４は指１本を挿入する本体１を持つ実施例の平面図である。
【図５】  図５は指１本を挿入する本体１を持つ実施例の正面図である。
【図６】  図６は指２本を挿入する本体を持つ実施例の斜視図である。
【図７】  図７は指２本を挿入する本体を持つ実施例を実際に指に嵌めて結束を引く時の使用図である。
【符号の説明】
【００１８】１        指１本を挿入する実施例における本体
１１      指１本を挿入する実施例における板状突起と面する本体の１面
１２      指１本を挿入する実施例における本体の、開口を持つ第１の面
１３      指１本を挿入する実施例における本体の、開口を持つ第２の面
２        指１本を挿入する実施例の本体の開口部
２１      指１本を挿入する実施例の本体の開口の第１の縁端部
２２      指１本を挿入する実施例の本体の開口の第２の縁端部
３        指１本を挿入する実施例における舌状突起
３１      指１本を挿入する実施例における舌状突起の、本体に面した面
３２      指１本を挿入する実施例における舌状突起の、最前端部
３３      指１本を挿入する実施例における舌状突起の、刃に接する最前端部
３４      指１本を挿入する実施例における舌状突起の、刃に接する最後端部
４        指１本を挿入する実施例における刃
４１      指１本を挿入する実施例における刃の最前端部
４２      指１本を挿入する実施例における刃のブレード部
４３      指１本を挿入する実施例における刃の最後端部
１００    指２本を挿入する実施例における本体
１０１    指２本を挿入する実施例における板状突起と面する本体の１面
２００    指２本を挿入する実施例の本体の第１の開口部
２０１    指２本を挿入する実施例の本体の第２の開口部
３００    指２本を挿入する実施例における舌状突起
３０１    指２本を挿入する実施例における舌状突起の、本体に面した面
３０２    指２本を挿入する実施例における舌状突起の、最前端部
３０３    指２本を挿入する実施例における舌状突起の、刃に接する最前端部
３０４    指２本を挿入する実施例における舌状突起の、刃に接する最後端部
４００    指２本を挿入する実施例における刃
４０１    指２本を挿入する実施例における刃の最前端部
４０２    指２本を挿入する実施例における刃のブレード部
４０３    指２本を挿入する実施例における刃の最後端部